(57)【特許請求の範囲】
【請求項１】
ベッド長手側端部の角部近傍に移動支持機構を介して、ベッド長手方向端部と、ベッド側面側とに、移動配置可能に保持する構成とした柵兼用の可動ボードを備えることを特徴とするベッド。
【請求項２】
ベッド長手側端部の角部近傍に移動支持機構を介して、ボード本体をベッド長手方向端部と、ベッド側面側とに、移動配置可能に支持する構成としたことを特徴とするベッドにおける可動ボード。
【請求項３】
前記移動支持機構は、ベッドのフレームの隅角部に配置した脚パイプに、同軸的に回動自在に嵌入してなる基軸と、この基軸上部に結合し、フレーム越しにフレーム外側に延在させて前記ボード本体を装着してなる回転ステーとを備えたことを特徴とする請求項２記載のベッドにおける可動ボード。
【請求項４】
前記回転ステーに、ボード本体を、ボード本体長手方向に沿って移動させると共に、ボード本体長手方向両端寄りにおいて固定保持するボード支持位置調節手段を備えたことを特徴とする請求項３記載のベッドにおける可動ボード。
【請求項５】
前記移動支持機構は、ボード本体をフレームの長手側端部と、ベッド側面側にもたらした際に、固定保持する拘束手段を設けたことを特徴とする請求項２ないし４記載のベッドにおける可動ボード。
【請求項６】
前記拘束手段は、脚パイプに形成した基軸の保持穴において、可動範囲で肉薄状に形成すると共に、前記基軸の下端部側近傍に突部を形成し、前記脚パイプの可動範囲で薄肉状に形成した底部の両端部に、係止溝を有し、この係止溝に、前記基軸の下端部近傍の突部を、基軸を可動範囲で脚パイプの薄肉状に形成した底部上を移動させて選択的に係止させることで、ボード本体をそれぞれフレーム長手方向端部側と、ベッド側面側とに保持するようにしたことを特徴とする請求項５記載のベッドにおける可動ボード。
【請求項７】
前記ボード支持位置調節手段は、ボード本体を、ストッパを介して、ボード本体下端面に形成した案内溝に沿って移動可能に保持する構成とし、前記ストッパは、ストッパボルトとコイルスプリングとで構成し、このストッパボルトを、コイルスプリングの弾発力により、ボード本体における案内溝の両端に形成した保持溝の一方に係止させる一方、ボード本体を移動させて、他方の保持溝に前記ストッパボルトを係止させる構成としたことを特徴とする請求項４記載のベッドにおける可動ボード。
【請求項８】
前記ボード本体は、パイプ枠に軟質材で構成したカバー部材で覆う構成とし、上部側一部にパイプ枠を露出させて握り部を構成したことを特徴とする請求項２ないし７記載のうち、いずれか１記載のベッドにおける可動ボード。
【発明の詳細な説明】
【０００１】
【発明の属する技術分野】
本発明は、ベッドにおいて、ベッドとしての実質的な機能を有するものではない頭側または脚側のボードを、側柵として兼用する構成とした、ベッドおよびベッドにおける可動ボードに関するものである。
【０００２】
【従来の技術】
周知のように、ベッドにおける頭側、および足側のボードは、意匠的な意味合いが強く、搬送時に掴まり所としての他に、ベッドとしての実質的な機能を有するものではなかった。
【０００３】
【発明が解決しようとする課題】
ところで、ベッド側面側に配置される側柵は、柵部がパイプ状の構造体であることから、使用者をして、束縛感を抱かせるものであり、もっとソフトなイメージの構造のものが求められている。
本発明はこのような背景から提案されたものであって、ベッドにおいて、ベッドとしての実質的な機能を有するものではない頭側または脚側のボードを、側柵として兼用する構成とした、ベッドおよびベッドにおける可動ボードを提供することを目的とする。
【０００４】
【課題を解決するための手段】
前記した課題を解決するために、本発明では、請求項１において、ベッド長手側端部の角部近傍に移動支持機構を介して、ベッド長手方向端部と、ベッド側面側とに、移動配置可能に保持する構成とした柵兼用の可動ボードを備えるベッドを開示する。
また本発明では、請求項２において、ベッド長手側端部の角部近傍に移動支持機構を介して、ボード本体をベッド長手方向端部と、ベッド側面側とに、移動配置可能に支持する構成としたベッドにおける可動ボードを開示する。
また本発明では、請求項３において、前記移動支持機構は、ベッドのフレームの隅角部に配置した脚パイプに、同軸的に回動自在に嵌入してなる基軸と、この基軸上部に結合し、フレーム越しにフレーム外側に延在させて前記ボード本体を装着してなる回転ステーとを備えたベッドにおける可動ボードを開示する。
また本発明では、請求項４において、前記回転ステーに、ボード本体を、ボード本体長手方向に沿って移動させると共に、ボード本体長手方向両端寄りにおいて固定保持するボード支持位置調節手段を備えたベッドにおける可動ボードを開示する。
また本発明では、請求項５において、前記移動支持機構は、ボード本体をフレームの長手側端部と、ベッド側面側にもたらした際に、固定保持する拘束手段を設けたベッドにおける可動ボードを開示する。
また本発明では、請求項６において、前記拘束手段は、脚パイプに形成した基軸の保持穴において、可動範囲で肉薄状に形成すると共に、前記基軸の下端部側近傍に突部を形成し、前記脚パイプの可動範囲で薄肉状に形成した底部の両端部に、係止溝を有し、この係止溝に、前記基軸の下端部近傍の突部を、基軸を可動範囲で脚パイプの薄肉状に形成した底部上を移動させて選択的に係止させることで、ボード本体をそれぞれフレーム長手方向端部側と、ベッド側面側とに保持するようにしたベッドにおける可動ボードを開示する。
また本発明では、請求項７において、前記ボード支持位置調節手段は、ボード本体を、ストッパを介して、ボード本体下端面に形成した案内溝に沿って移動可能に保持する構成とし、前記ストッパは、ストッパボルトとコイルスプリングとで構成し、このストッパボルトを、コイルスプリングの弾発力により、ボード本体における案内溝の両端に形成した保持溝の一方に係止させる一方、ボード本体を移動させて、他方の保持溝に前記ストッパボルトを係止させる構成としたベッドにおける可動ボードを開示する。
さらに本発明では、請求項８において、前記ボード本体は、パイプ枠に軟質材で構成したカバー部材で覆う構成とし、上部側一部にパイプ枠を露出させて握り部を構成したベッドにおける可動ボードを開示する。
【０００５】
請求項１によれば、可動ボードをベッド側面側にもたらして側柵として使用することができるので、通常の側柵などの付属品は不要となる。
【０００６】
請求項２によれば、状況に応じて、ボード本体を、移動支持機構によりベッド側面側と、フレームの長手側端部とに移動配置して、使用することができる。
【０００７】
請求項３によれば、ベッドの脚パイプに嵌入した基軸を中心として、回転ステーを介して取り付けたボード本体を、回転ステーを回転させて、フレームの長手側端部またはベッド側面側にもたらすことができる。
【０００８】
請求項４によれば、ボード本体を、回転ステーを回転させて、フレームの長手側端部またはベッド側面側にもたらす際に、ボード支持位置調節手段を操作して、ボード本体を、ボード本体長手方向に沿って移動させると共に、ボード本体長手方向端部寄りの位置で固定することで、それぞれ適した位置にボード本体をもたらすことができる。
【０００９】
請求項５によれば、ボード本体をフレームの長手側端部またはベッド側面側にもたらした際に、拘束手段によりボード本体を動かないように保持することで、使用者は安心してボード本体を掴まり手段として活用することができる。
【００１０】
請求項６によれば、ボード本体を持ち上げることで、回転ステーを介して基軸が持ち上げられ、これによって基軸の下端部近傍の突部が、脚パイプの底部の両端部の係止溝のうちの一方の係止溝から離脱して保持状態が解除され、基軸を脚パイプの底部に沿って可動範囲回転させることができ、ボード本体から手を離せば、脚パイプの底部の他方の係止溝に前記基軸の突部を嵌合させて基軸を動かないように保持することができる。
【００１１】
請求項７によれば、ストッパボルトを、コイルスプリングの弾発力により、ボード本体における案内溝の両端に形成した保持溝の一方に係止させる一方、ボード本体を移動させて、他方の保持溝に前記ストッパボルトを係止させることで、ボード本体の支持位置を調節することができる。
【００１２】
請求項８によれば、使用者はボード本体における握り部を掴まり手段として活用することができる。
【００１３】
【発明の実施の態様】
次に、本発明にかかるベッドおよびベッドにおける可動ボードについて、一つの実施の態様を示し、添付の図面に基づいて以下説明する。
図１に示すベッド１には、ベッド１の頭側および足側に可動ボード２，３を設けている。かかる可動ボード２，３は、それぞれボード本体４を移動支持機構５によって、フレーム６長手方向端部側と、ベッド１側面側に回動配置させる構成としている。
【００１４】
前記可動ボード２，３のうち、ベッド１の頭側寄りの可動ボード２において、ボード本体４を支持する移動支持機構５は、図２に示すように、ベッド１の頭側寄りのフレーム６隅角部に配設した双方の脚パイプ７，７に、回動自在に嵌入してなる基軸８と、この基軸８上部に回転ステー９を結合すると共に、この回転ステー９に、ボード支持位置調節手段１０を介してボード本体４を取り付けている。
すなわち、前記ボード本体４を一対、頭側寄りのフレーム６長手方向端部側に配置させた際は、通常のヘッドボードとして適用させ、ベッド１側面側に配置させた際は、頭側の側柵として適用させている。
【００１５】
一方、ベッド１の足側寄りの可動ボード３も、図示は省略するが、ベッド１の足側寄りのフレーム６隅角部に配設した移動支持機構５を介し、足側寄りのフレーム６長手方向端部側と、ベッド１側面側に回動配置させる構成としている。すなわち、前記ボード本体４を、一対、足側寄りのフレーム６長手方向端部側に配置させた際、通常のフットボードとして適用させ、ベッド１側面側に配置させた際は、足側の側柵として適用させている。
【００１６】
前記脚パイプ７は、フレーム６の隅角部内側に斜め状に固設している、補強梁１１に溶着している（図２、図３参照）。
また、前記基軸８は、脚パイプ７内に脚パイプ７頂部側から装入させて回動自在に保持する構成としている。
また前記基軸８上部側に取り付けた回転ステー９は、脚パイプ７の中心軸、すなわち基軸８の回転中心軸から、フレーム６の隅角部外側までの寸法を越えた長さを有し、回転ステー９先端に直角状下方に折れ曲がる垂下部１２と、ボード乗部１３とを有している。
【００１７】
また、ボード支持位置調節手段１０を介して、このボード乗部１３に装着される前記ボード本体４には、下端面に、下端面に沿って案内溝１４を形成すると共に、案内溝１４両端部に保持溝１４ａ，１４ａを形成し、前記ボード支持位置調節手段１０を構成するストッパボルト１０ａを、コイルスプリング１０ｂの弾発力により、ボード乗部１３を介して、一方の保持溝１４ａに係止させる一方、案内溝１４に沿ってボード本体４を移動させて、他方の保持溝１４ａに係止させる構成としている（図４参照）。
【００１８】
なお可動ボード２，３におけるボード本体４は、パイプ枠１５に適宜な軟質材（例えばウレタンフォーム入のビニールレザー材等）で構成したカバー部材で覆う構成のもので、上部側一部を露出させて使用者が掴まりやすい握り部としている。
【００１９】
そして、前記移動支持機構５である、基軸８、回転ステー９には、ボード本体４を、フレーム６長手方向端部側と、ベッド１側面側に保持する拘束手段１６を備えることができる（図５参照）。
かかる拘束手段１６では、例えば、図６に示すように、脚パイプ７に対し、基軸８の回転範囲をほぼ９０°とするべく構成している。
すなわち、前記脚パイプ７における基軸８の保持穴１７において、９０°の範囲で肉薄状に形成すると共に、基軸８の下端部側近傍に突部１８を形成し、前記脚パイプ７の９０°の範囲で薄肉状に形成した底部１９の両端部に、底部１９に比較して一段と掘り下げた係止溝２０，２０を有している。かかる係止溝２０，２０に、前記基軸８の下端部近傍の突部１８を、基軸８を９０°の範囲で脚パイプ７の薄肉状に形成した底部１９上を移動させて選択的に係止させることで、ボード本体４をそれぞれフレーム６長手方向端部側と、ベッド１側面側とに保持するようにしている。
なお、前記フレーム６長手方向端部側と、ベッド１側面側とには、それぞれ可動ボード２，３を支えるための受部２１，２２を突設している（図２参照）。
【００２０】
以上のような可動ボード２，３を有するベッド１において、ベッド使用時には、可動ボード２，３におけるボード本体４をベッド１側面側に回して、転落防止用の側柵として活用することができる。以下、可動ボート２の操作例を挙げて説明し、可動ボード３については、可動ボード２と同操作を行うため、その操作手順の説明は省略する。
【００２１】
すなわち、ボード本体４を持ち上げることで、回転ステー９を介して基軸８が持ち上げられ、これによって拘束手段１６としての、基軸８の下端部近傍の突部１８が、脚パイプ７の底部１９の両端部の係止溝２０，２０のうちの一方の係止溝２０から離脱して保持状態が解除され、基軸８を脚パイプ７の底部１９に沿って９０°回転させることができる（図１参照）。
【００２２】
次に、ボード本体４を支えるボード乗部１３におけるボード支持位置調節手段１０を操作し、ボード本体４の保持溝１４ａに係止するストッパボルト１０ａを、コイルスプリング１０ｂの弾発力に介して離脱させて、ボード本体４下端面の案内溝１４に沿って前記ストッパボルト１０ａが移動するように、ボード本体４を移動させる（図４参照）。
すると、前記ボード本体４は、移動先であるベッド側面側の受部２２上に先端側がもたらされ、ここでボード支持位置調節手段１０から手を離せば、他方の保持溝１４ａにストッパボルト１０ａが、コイルスプリング１０ｂの弾発力により係止し、さらにボード本体４から手を離すことで、脚パイプ７の底部１９の他方の係止溝２０に前記基軸８の突部１８を嵌合させて基軸８を動かないように保持することができる。これによって、ボード本体４をベッド側面側に保持することができる。
なお、前記ボード本体４を、フレーム６長手方向端部側に移動させる際の操作も同様にして行うことができる。
【００２３】
このように、ボード本体４をフレーム６の長手側端部または、ベッド１側面側にもたらした際に拘束手段１６によりボード本体４を動かないように保持することで、使用者は安心してボード本体４における上部側一部の握り部であるパイプ枠１４を掴まり手段として活用することができる。
【００２４】
【発明の効果】
以上の通り、本発明によれば、ベッド使用時に、ボードをベッド側面側に回して、転落防止用の側柵として活用することができる。そのため、通常の側柵を用意することはなく、備品コストの削減が可能である。
また、ボードをフレームの長手側端部または、ベッド側面側にもたらした際に拘束手段によりボードを動かないように保持することで、使用者は安心してボードを掴まり手段として活用することができる。
【００２５】
【図面の簡単な説明】
【図１】本発明にかかるベッドの一例を示す外観斜視図である。
【図２】図１に示すベッドにおける要部平面図である。
【図３】図１に示す可動ボードの支持構造の一例を示した、要部斜視説明図である。
【図４】可動ボードの側面図である。
【図５】図３に示す可動ボードにおける拘束手段の一例を示した、一部断面説明図である。
【図６】図５に示す拘束手段の作用を説明するための、省略的な平面図である。
【符号の説明】
１                            ベッド
２、３                        可動ボード
４                            ボード本体
５                            移動支持機構
６                            フレーム
７                            脚パイプ
８                            基軸
９                            回転ステー
１０                          ボード支持位置調節手段
１０ａ                        ストッパボルト
１０ｂ                        コイルスプリング
１１                          補強梁
１２                          垂下部
１３                          ボード乗部
１４                          案内溝
１４ａ                        保持溝
１５                          パイプ枠
１６                          拘束手段
１７                          保持穴
１８                          突部
１９                          底部
２０                          係止溝
２１，２２                    受部
【図１】
0003580500.tif 000002
【図２】
0003580500.tif 000003
【図３】
0003580500.tif 000004
【図４】
0003580500.tif 000005
【図５】
0003580500.tif 000006
【図６】
0003580500.tif 000007